(57)【要約】【課題】            対流ファンのファンモータの冷却と埃の付着を防止するためのファンカバーの構造に関する。【解決手段】        枠体１の背面に設けた室内空気取入口２と、枠体１の前面に設けた温風吹出口３とを連通する送風路４を枠体１内に設け、室内空気取入口２には多数の通気孔６ａを有するファンカバー６を取付け、ファンカバー６の枠体１内側に対流ファン５のファンモータ５ａを取付け、対流ファン５によって通気孔６ａから送風路４内に吹き込まれた室内空気は高温となって温風吹出口３から吹出す。ファンカバー６にはファンモータ５ａとの間に空間Ａを形成する突部７と、突部７から連続して放射状にのびる空気誘導突部８とを設け、突部７には外気と空間Ａとを連通する空気流通孔７ａを設け、空気流通孔７ａから空間Ａに流入した空気は空気誘導突部８に沿って送風路４に向かう空気流を形成し、この空気流によってファンモータ５ａの冷却と、埃の付着を防止できる。【選択図】          図１
2007322056.tif 000002
【特許請求の範囲】
【請求項１】
枠体１の背面に室内空気取入口２を設け、かつ、枠体１の前面に温風吹出口３を設け、室内空気取入口２と温風吹出口３とを連通する送風路４を枠体１内に設けると共に、
室内空気取入口２付近には送風路４内へ送風する対流ファン５を配置し、
該対流ファン５の背部の室内空気取入口２には多数の通気孔６ａを有するファンカバー６を取付け、対流ファン５のファンモータ５ａをファンカバー６に取付けた温風暖房機において、
前記ファンカバー６にはファンモータ５ａとの間に空間Ａを形成する突部７と、該突部７から連続して放射状にのびる空気誘導突部８とを設けると共に、
突部７には外気と空間Ａとを連通する空気流通孔７ａを設け、
該空気流通孔７ａから空間Ａに流入する空気を空気誘導突部８に沿って誘導して送風路４に送ることを特徴とする温風暖房機のファンカバーの構造。
【請求項２】
前記ファンカバー６にはファンモータ５ａのためのモータ固定部９を設け、該モータ固定部９はファンカバー６より枠体１内側に突出し、ファンカバー６とファンモータ７との間に間隔Ｔを形成したことを特徴とする請求項１記載の温風暖房機のファンカバーの構造。
【請求項３】
前記突部７はファンモータ５ａの外径よりも小さく設け、前記モータ固定部９は突部７よりも外方の空気誘導突部８の間に配置したことを特徴とする請求項１記載の温風暖房機のファンカバーの構造。
【請求項４】
前記空気誘導突部８の先端位置はファンカバー６の外周端部まで届かせたことを特徴とする請求項１記載の温風暖房機のファンカバーの構造。
【発明の詳細な説明】
【技術分野】
【０００１】
この発明は温風暖房機の背面に取り付けるファンカバーの構造に関するものである。
【背景技術】
【０００２】
温風暖房機の枠体内には背部と前部とが連通する送風路が設けてあり、送風路の入口となる枠体の背部には室内空気取入口を設け、該室内空気取入口付近に取り付けた対流ファンの風を送風路に吹き込み、枠体内に設けたバーナから発生する熱量で送風路を通過する室内空気の温度を高め、高温となった温風を枠体の前面に設けた温風吹出口から吹き出して暖房するものである。
【０００３】
枠体背部には室内空気取入口を覆うようにファンカバーを取付けており、このファンカバーの中央付近に対流ファンのファンモータを直接取り付けているが、暖房機の運転中はファンモータ自身の発熱やバーナの熱によってファンモータの温度が上昇しやすくなっており、ファンモータとファンカバーが密着しているとファンモータが高温となり、ファンモータの性能劣化や誤作動を起こす恐れがある。このためファンカバーとファンモータとの間に隙間を形成して、ファンモータとファンカバーとの間に対流ファンの風が流れるようにしてファンモータの温度上昇の防止を狙ったものがある（特許文献１参照）。
【特許文献１】特開平７−１５８９７５号公報
【発明の開示】
【発明が解決しようとする課題】
【０００４】
上記特許文献ではファンモータの中心部分に固定部が存在しているため、ファンモータの外周付近には風の流れがあるが、ファンモータの中心部付近には風が届かないため、ファンモータの表面が冷却されるだけでファンモータ全体を効率よく冷却することができないため、ファンモータの内部の温度が上昇しやすい欠点があった。
【０００５】
また、ファンカバーは送風路内への埃や異物の侵入を防ぐためのものであるが、ファンカバーを取り付けていても埃の侵入を完全に防ぐことは難しく、ファンカバーを通過した埃が送風路内に付着するものである。そして、ファンカバーとファンモータとの隙間は風量が少ないため、この隙間部分に埃がたまりやすくなっており、長期間使用すると埃の堆積によってファンモータの冷却効果が十分得られなくなるという課題が見つかった。
【課題を解決するための手段】
【０００６】
この発明は上記の課題を解決するもので、枠体１の背面に室内空気取入口２を設け、かつ、枠体１の前面に温風吹出口３を設け、室内空気取入口２と温風吹出口３とを連通する送風路４を枠体１内に設けると共に、室内空気取入口２付近には送風路４内へ送風する対流ファン５を配置し、該対流ファン５の背部の室内空気取入口２には多数の通気孔６ａを有するファンカバー６を取付け、対流ファン５のファンモータ５ａをファンカバー６に取付けた温風暖房機において、前記ファンカバー６にはファンモータ５ａとの間に空間Ａを形成する突部７と、該突部７から連続して放射状にのびる空気誘導突部８とを設けると共に、突部７には外気と空間Ａとを連通する空気流通孔７ａを設け、該空気流通孔７ａから空間Ａに流入する空気を空気誘導突部８に沿って誘導して送風路４に送ることを特徴とするものである。
【０００７】
また、ファンカバー６にはファンモータ５ａのためのモータ固定部９を設け、該モータ固定部９はファンカバー６より枠体１内側に突出し、ファンカバー６とファンモータ７との間に間隔Ｔを形成したから、ファンカバー６とファンモータ５ａと接触面積が少なくなると共に、ファンモータ５ａとファンカバー６との間に空気が流れやすくなるので、ファンモータ５ａが効率よく冷却でき、ファンモータ５ａへの埃の付着を防止できるものである。
【０００８】
また、突部７はファンモータ５ａの外径よりも小さく設け、前記モータ固定部９は突部７よりも外方の空気誘導突部８の間に配置したから、突部７の空気流通孔７ａから空気誘導突部８の間には空気の流れを妨げるものがないから、空間Ａから空気誘導突部８に沿ってスムーズな空気の流れが形成できる。
【０００９】
また、空気誘導突部８の先端位置をファンカバー６の外周端部まで届かせることで、ファンカバー６の全体の強度を向上できたから、ファンカバー６はファンモータ５ａを支持できる強度を得ることができる。
【発明の効果】
【００１０】
この発明は、対流ファン５が運転するとファンカバー６に設けた突部７の空気流通孔７ａから空間Ａに空気が流入し、空間Ａから空気誘導突部８に沿って送風路４に向かう空気流が形成されており、この空気流によってファンモータ５ａを冷却するものであり、空気流通孔７ａから空間Ａに流入する空気がファンモータ５ａの中心部分にあたるから、ファンモータ５ａの内部の温度上昇を防ぐことができるものとなった。また、空気誘導突部８によって空気の流れがスムーズになって空気誘導突部８を流れる空気は一定の流速を得ることができるから、ファンモータ５への埃の付着を防ぐことができるものとなった。
【００１１】
また、ファンカバー６のモータ固定部９を枠体１内側に突出して、モータ固定部９に取り付けたファンモータ５ａとファンカバー６との間に間隔Ｔを形成することで、ファンモータ５ａとファンカバー６との接触面積を少なくできると共に、ファンモータ５ａとファンカバー６との間に空気流が形成されてファンモータ５ａの背面全体を冷却できるものとなり、ファンモータ５ａの冷却効率が向上すると共に、長期間の使用でも埃がたまることはなくなった。
【００１２】
また、ファンカバー６の突部７をファンモータ５ａの外径よりも小さくして、モータ固定部９を突部７より外方で空気誘導突部８の間に配置することで、空気流通孔７ａから空気誘導突部８に向かう空気の流れが妨げられることがなく、空気誘導突部８に沿ってスムーズな空気流が形成できるものとなった。
【００１３】
また、多数の通気孔６ａを設けたファンカバー６は強度が低下しやすいが、ファンカバー６の強度を得るために板厚を厚くすると加工が大変になる。この発明では放射状の空気誘導突部８の先端位置をファンカバー６の外周端部まで伸ばすことで、ファンカバー６の板厚を厚くすることなくファンカバー６全体の強度の向上を図ることができたから、ファンカバー６は容易に加工することができ、製造コストを低く抑えることができる。
【発明を実施するための最良の形態】
【００１４】
図に示す石油燃料を用いる暖房機の実施例によってこの発明を説明すると、１は暖房機の枠体、１１は枠体１内に配置したバーナ、１２はバーナ１１の上部に配置した燃焼室であり、バーナ１１で発生する燃焼炎と燃焼ガスとが燃焼室１２に送られる。
【００１５】
２は枠体１の背面に設けた室内空気取入口、３は枠体１の前面に設けた温風吹出口、４は枠体１内に形成した室内空気取入口２と温風吹出口３とを連通する送風路、５は送風路４の入口側となる室内空気取入口２付近に取り付けた対流ファン、５ａは対流ファン５を駆動するファンモータである。
【００１６】
６は枠体１の背面の室内空気取入口２に取り付けたファンカバー、６ａはファンカバー６に設けた多数の通気孔であり、ファンカバー６は送風路４内への埃や異物の侵入を防止するフィルターの役目をしている。９はファンカバー６の中央付近に設けたモータ固定部であり、対流ファン５のファンモータ５ａがファンカバー６のモータ固定部９に取付けられており、対流ファン５を運転すると室内空気がファンカバー６の通気孔６ａから送風路４内に吹き込まれ、送風路４内で燃焼室１２から送られる高温の燃焼ガスと混合し、温風吹出口３から温風となって吹出す。
【００１７】
暖房機の運転中はバーナ１１や燃焼室１２から発生する熱や、ファンモータ５ａ自身の発熱によってファンモータ５ａの温度が上昇しやすくなっており、ファンモータ５ａが高温の状態のまま使用するとファンモータ５ａの性能劣化や誤作動を起こす恐れがあるため、ファンモータ５ａの温度上昇を抑えるための構造が必要である。また、空気中の細かい埃は通気孔６ａを通過するため、送風路４内への埃の侵入を完全に防ぐことはできないものであり、送風路４内に侵入した埃が送風路４内に付着するが、長期間の使用によって多量の埃がファンモータ５ａに付着すると、ファンモータ５ａの冷却効果を十分得ることができなくなってしまうものであった。
【００１８】
この発明は、上記の課題を解決するもので、７はファンカバー６の中央付近に設けた枠体１外側に突出させた突部、８は突部８から連続して形成した放射状にのびる空気誘導突部であり、実施例では、突部７がファンモータ５ａと対向し、空気誘導突部８はファンカバー６の中央付近から十字形に形成しており、空気誘導突部８の先端位置はファンモータ５ａの外径よりも外方に届かせている。Ａはファンモータ５ａと突部８との間に形成される空間、７ａは突部７に設けた空気流通孔であり、空気流通孔７ａによって枠体１外と空間Ａとが連通している。
【００１９】
対流ファン５を運転すると室内空気がファンカバー６の通気孔６ａから送風路４内に吹き込まれると共に、突部７に設けた空気流通孔７ａから空間Ａ内に室内空気が流入し、空間Ａから空気誘導突部８に沿って流れる空気流が形成される。空間Ａから空気誘導突部８に沿って流れる空気流は、通気孔６ａから吹き込まれてファンモータ５ａの周囲を流れる流速の速い空気流によって送風路４に引き込まれており、空気誘導突部８によって空気の流れがスムーズに形成されるから、空気誘導突部８に沿って流れる空気流は一定の流速を得ることができ、空気流によって埃を飛ばすことができるから、埃の付着を防ぐことができるようになった。
【００２０】
また、ファンカバー６の突部７がファンモータ５ａの中心部付近と対向しているから、空気流通孔７ａから空間Ａに流入する空気をファンモータ５ａの中心付近に直接あてることができ、ファンモータ５ａを効率よく冷却することができ、ファンモータ５ａの内部の温度上昇を防止できるものとなった。
【００２１】
また、この発明の実施例において、ファンカバー６に設けたモータ固定部９は枠体１内側に突出するように設けており、Ｔはファンモータ５ａをモータ固定部９に取り付けたときにファンモータ５ａとファンカバー６との間に形成される間隔であり、ファンモータ５ａの背面側にはモータ固定部９のみが接触する構成となっているから、ファンモータ５ａの背面側からの放熱が行ないやすくなる。
【００２２】
そして、この間隔Ｔによってファンモータ５ａとファンカバー６との間を通過する空気量が多くなり、突部７の空気流通孔７ａから空気が流入しやすくなり、空気誘導突部８と間隔Ｔを流れる空気流によってファンモータ５ａの背面の全体を冷却することができ、効率良くファンモータ５ａの冷却ができるものとなった。
【００２３】
また、この発明では、図２、３に示すようにファンカバー６の突部７をファンモータ５ａの外径よりも小さく設定し、モータ固定部９を突部７よりも外方の空気誘導突部８の間に配置したものである。このようにすることで、突部７の空気流通孔７ａと空気誘導突部８との間に空気の流れを妨げるものがなくなるから、空気流通孔７ａから空気誘導突部８に沿ってスムーズに空気流が形成されやすくなり、ファンモータ５ａの冷却と埃の付着の防止が確実にできるようになった。
【００２４】
また、ファンモータ５ａをファンカバー６に取り付けるときは、ファンカバー６にはファンモータ５ａを支えるための強度が必要となるが、強度を得るためにファンカバー６の板厚を厚くすると、通気孔６ａや突部７等の加工が大変になってしまう。この発明では、ファンカバー６の中央部から放射状に配置した空気誘導突部８の先端位置をファンカバー６の外周の端部まで伸ばすことで、ファンカバー６の強度を向上することができたものであり、ファンカバー６の板厚を厚くする必要がないから、通気孔６ａや突部７の加工が容易にできるものとなり、コストの上昇を抑えて簡単に製造できるものである。
【図面の簡単な説明】
【００２５】
【図１】この発明の実施例を示す温風暖房機の縦断面図である。
【図２】この発明の実施例を示す温風暖房機の背面図である。
【図３】図２の実施例のＸ−Ｘ切断面による要部の縦断面図である。
【図４】図２の実施例のＹ−Ｙ切断面による要部の縦断面図である。
【符号の説明】
【００２６】
１    枠体
２    室内空気取入口
３    温風吹出口
４    送風路
５    対流ファン
５ａ  ファンモータ
６    ファンカバー
６ａ  通気孔
７    突部
７ａ  空気流通孔
８    空気誘導突部
９    モータ固定部
【図１】
2007322056.tif 000003
【図２】
2007322056.tif 000004
【図３】
2007322056.tif 000005
【図４】
2007322056.tif 000006